(57)【要約】本発明は、デジタル画像処理で欠陥を認識する及び／又は修復する方法と装置に関する。この装置は、電磁スペクトルの可視領域内で光源のエネルギーを記憶媒体に伝達する装置、及びエネルギーがこの記憶媒体によって確定されることによって、多数の可視画像を生成する装置から構成される。本発明によれば、１つの可視画像が、記憶媒体の少なくとも非常に狭い色彩感知範囲内で生成される。この記憶媒体は、画像記録時の欠陥及び／又は輝度の変動を含む。この追加の可視画像は、多数の可視画像の欠陥を修復するために使用され得る。
2004503789.tif 000002
【特許請求の範囲】
【請求項０１】
以下のステップによるデジタル画像処理で欠陥を認識する方法：電磁スペクトルの可視領域内で光源（２）のエネルギーを記憶媒体（１０）に伝達し、エネルギーがこの記憶媒体（１０）によって確定されることによって、多数の可視画像を生成する方法において、１つの追加の可視画像が、記憶媒体（１０）の少なくとも非常に狭いスペクトル密度領域内で生成され、この記憶媒体（１０）は、画像記録時の欠陥及び／又は輝度の変動を認識することを特徴とする方法。
【請求項０２】
記憶媒体（１０）中の欠陥箇所及び／又は記憶媒体（１０）上の粒子がマーキングされることを特徴とする請求項１に記載の方法。
【請求項０３】
修復が、認識した欠陥箇所及び／又は輝度の変動に対して実施されることを特徴とする請求項１又は２に記載の方法。
【請求項０４】
以下のステップによるデジタル画像処理で欠陥を修復する方法：電磁スペクトルの可視領域内で光源（２）のエネルギーを記憶媒体（１０）に伝達し、エネルギーがこの記憶媒体（１０）によって確定されることによって、多数の可視画像を生成する方法において、１つの追加の可視画像が、記憶媒体（１０）の少なくとも非常に狭いスペクトル密度領域内で生成され、この記憶媒体（１０）は、画像記録時の欠陥及び／又は輝度の変動を含み、そしてこれらの可視画像をこの追加の可視画像と組合わせることによって修復することを特徴とする方法。
【請求項０５】
記憶媒体（１０）中の欠陥又は記憶媒体（１０）上の粒子による輝度の変動が補正されることを特徴とする請求項４に記載の方法。
【請求項０６】
修復方法は、補間を含むことを特徴とする請求項５に記載の方法。
【請求項０７】
光源（２）のエネルギーを伝達するために使用される装置（４〜９，１１，１３）及び／又は画像生成装置（１２）の輝度の変動が補正されることを特徴とする請求項４に記載の方法。
【請求項０８】
追加の可視画像は、 ５８０〜 ６３０ｎｍ、特に ５９０〜 ６１０ｎｍの波長範囲内で生成されることを特徴とする請求項１〜７のいずれか１項に記載の方法。
【請求項０９】
追加の可視画像は、 ４８０〜 ５３０ｎｍの波長範囲内で生成されることを特徴とする請求項１〜７のいずれか１項に記載の方法。
【請求項１０】
追加の可視画像は、 ３９０〜 ４３０ｎｍ又は ７４０〜 ７８０ｎｍの波長範囲内で生成されることを特徴とする請求項１〜７のいずれか１項に記載の方法。
【請求項１１】
多数の可視画像と追加の可視画像とのエネルギーは、同一の光学経路を通じて伝達されることを特徴とする請求項１〜１０のいずれか１項に記載の方法。
【請求項１２】
多数の可視画像と追加の可視画像とのエネルギーは、それぞれ分離された複数の光学経路を通じて伝達されることを特徴とする請求項１〜１０のいずれか１項に記載の方法。
【請求項１３】
特にフィルムが、記憶媒体（１０）として使用されることを特徴とする請求項１〜１２のいずれか１項に記載の方法。
【請求項１４】
電磁スペクトルの可視領域内で光源（２）のエネルギーを記憶媒体（１０）に伝達する装置（４〜９）、及びエネルギーがこの記憶媒体（１０）によって確定されることによって、多数の可視画像を生成する装置（１２）から構成された、デジタル画像処理で欠陥を認識する装置において、１つの追加の可視画像を生成する装置（１６，８４，８８）が、記憶媒体（１０）の少なくとも非常に狭い色彩感知範囲内に設定されていて、この場合、この追加の可視画像は、画像記録時の欠陥及び／又は輝度の変動を含むことを特徴とする装置。
【請求項１５】
色彩フィルタ（８４及び／又は８８）が、追加の可視画像を生成する装置として設けられていることを特徴とする請求項１４に記載の装置。
【請求項１６】
色彩フィルタは、黄色フィルタであることを特徴とする請求項１５に記載の装置。
【請求項１７】
色彩フィルタは、 ５８０〜 ６３０ｎｍ、特に ５９０〜 ６１０ｎｍの範囲内で透過性であることを特徴とする請求項１５に記載の装置。
【請求項１８】
色彩フィルタは、 ４８０〜 ５３０ｎｍの範囲内で透過性であることを特徴とする請求項１５に記載の装置。
【請求項１９】
色彩フィルタは、３９０ 〜 ４３０ｎｍ又は ７４０〜 ７８０ｎｍの範囲内で透過性であることを特徴とする請求項１５に記載の装置。
【請求項２０】
装置（４〜９）は、多数の可視画像と追加の可視画像とのエネルギーを同一の光学経路を通じて伝達することを特徴とする請求項１４〜１９のいずれか１項に記載の装置。
【請求項２１】
追加の可視画像を生成する装置は、センサ（１６）を有することを特徴とする請求項１４に記載の装置。
【請求項２２】
追加の可視画像を生成する装置は、ビームスプリッタを有することを特徴とする請求項２１に記載の装置。
【請求項２３】
装置（４〜９）は、多数の可視画像と追加の可視画像とのエネルギーをそれぞれ、分離された複数の光学経路を通じて伝達することを特徴とする請求項２１又は２２に記載の装置。
【請求項２４】
光源（２）は、発光ダイオードであることを特徴とする請求項１４又は２０〜２３のいずれか１項に記載の装置。
【請求項２５】
光源（２）は、発光ダイオードを有し、これらの発光ダイオードは、 ５８０〜 ６３０ｎｍ、特に ５９０〜 ６１０ｎｍの範囲内で放射することを特徴とする請求項２４に記載の装置。
【請求項２６】
記憶媒体（１０）は、フィルムであることを特徴とする請求項１４〜２５のいずれか１項に記載の装置。
【発明の詳細な説明】
【０００１】
本発明は、請求項１，４又は１４の上位概念に記載のデジをタル画像処理によって欠陥を認識する及び／又は欠陥を修復する方法と装置に関する。
【０００２】
米国特許発明第 ５，２６６，８０５号明細書では、フィルム又は走査された画像中の引っかき傷や埃によって引き起こされた欠陥を修復するため、従来の赤色走査，緑色走査及び青色走査つまり走査に加えて、赤外線走査がさらに実施される。欠陥のある場所では、赤外線ビームが、フィルムを妨害されて露光し、そして散乱されうる。その結果、引っかき傷や埃の付いたフィルムを通過する赤外線ビームが減少する。この減少は、画像中のエラーを示す。そして、それに付随する画素が、このエラーにしたがって識別される。その結果、この画素が修復され得る。修復に関しては、主に２つの公知の可能性がある。１つの可能性は、全画像の赤色信号，緑色信号及び青色信号（ＲＧＢ信号）を赤外線信号と共に演算処理することにある。この方法では、特に残留ＲＧＢ情報 （Ｒｅｓｔ−ＲＧＢ−Ｉｎｆｏｒｍａｔｉｏｎ） を含む軽い欠陥が、この残留画像情報を考慮して修復される。個々の画素を観察する必要なしに、これらの走査が全体として一緒に演算処理され得るので、この方法は非常に効率がよい。しかしながら、残留画像情報が存在しない重い欠陥では、この方法は、エラーを結果に含みうる。これに対して、エラーを修復するための第２の可能性が考えられる。この第２の可能性は、エラーのある画素を識別すること、これらの画素の画像値を隣合った画素の画像値と交換することを基礎にする。この補間法は、特に重い欠陥が非常に均一な平面内にあるときに非常に良好な結果をもたらすことが考えられる。しかしながら、個々の画素を記憶して処理する必要があるので、最後の方法は非常に経費がかかる。
【０００３】
基本的にデジタル画像処理での公知の欠陥認識では、赤外線修復光学機器、すなわち高価な光学機器がさらに必要な赤外線走査に対して必要であることが分かる。しかも、赤外線ビームが、例えば吸収フィルタやその他の光学的な構成要素でその要素を加熱し、冷却又はその他の手段によって冷却しなければならないので、赤外線ビームは、加熱ビームとして気をつけて取り扱う必要がある。
【０００４】
本発明の課題は、高性能な欠陥認識が簡単で廉価な構造で実現される、デジタル画像処理時に欠陥を認識する方法と装置を提供することにある。
【０００５】
この課題は、請求項１，４又は１４に記載の特徴を組合わせた方法と装置によって解決される。本発明では、多数の可視画像の生成に加えて、１つの追加の可視画像（欠陥記録）が、記憶媒体の少なくとも非常に狭いスペクトル密度領域 （ｇｅｒｉｎｇｅｎ ｓｐｅｋｔｒａｌｅｎ Ｄｉｃｈｔｂｅｒｅｉｃｈ ｄｅｓ Ｓｐｅｉｃｈｅｒｍｅｄｉｕｍｓ） 内で生成される。この記憶媒体は、画像記録時の欠陥及び／又は輝度の変動を認識する。換言すれば、従来の技術に対して、赤外線走査が省略される、つまり追加の光学走査によって代用される。これによって、本発明の方法及び本発明の装置では、高価な光学機器を追加する必要がなくて、可視領域仕様の既存の廉価な光学機器が使用できる。同時に、この方法とこの装置で検出して修復するために使用される光が、画像データを得る光と同一のスペクトル特性を呈するので、エラー箇所の検出と修復がより精確である。その一方で、赤外線光は散乱特性を呈する。
【０００６】
欠陥記録を可視可能な画像と組合わせるため、又は、画像中の欠陥箇所を補間するため、特に記憶媒体及び／又は粒子中の欠陥箇所が、記憶媒体上に局所化されて記憶される。引続き、これらの局所化された欠陥が、欠陥のある画素の周囲の値を補間することによって、又は欠陥のある画像箇所を単一の色若しくは（例えば、ビデオフィルムの）似ている画像の画像情報と入換えることによって修復され得る。
【０００７】
その代わりに、例えば欠陥又は粒子のせいで引き起こされる記憶媒体の輝度の変動、並びに／又は、使用される光学機器（例えば、レンズのダウンエッジ（Ｒａｎｄａｂｆａｌｌ））及び／若しくは使用される記録媒体（例えば、ＣＣＤの欠陥のある画素）の輝度の変動が、多数の可視画像を追加の可視画像と一緒に作用させることによって直接補正され得る。
【０００８】
普通のフィルムでは、追加の可視画像を約 ５８０〜 ６３０ｎｍ、特に ５９０〜 ６１０ｎｍの波長範囲内で生成することが効果的であると確認されている。何故なら、ここでは一般にフィルムのスペクトル密度の最小値がこの光学スペクトル範囲内で発生し、フィルムマスクの密度が非常に小さいからである。その代わりに、約 ４８０〜 ５３０ｎｍの波長範囲にある可視画像を少なくとも僅かなスペクトル密度で生成してもよい。約 ３９０〜 ４３０ｎｍ又は ７４０〜 ７８０ｎｍの波長範囲にある追加の可視画像を記録することも好ましい。何故なら、ここでは２つの色の重なりが発生しないからである。
【０００９】
本発明の好適な実施の形態によれば、光源のエネルギーを伝達することは、任意の順序で連続して行われる赤色の光，緑色の光及び青色の光の記憶媒体への伝達を含み、かつ記憶媒体の対応する赤色の画像，緑色の画像及び青色の画像の引続く確認を含む。これによって、本発明の方法と本発明の装置は、一般に行われている画像処理で使用可能であるか、又は僅かな経費でも既存の画像処理においてシステムアップされ得る。
【００１０】
本発明の装置の構造を簡略化するため、多数の可視画像と追加の画像とが同一の光学経路を通じて伝達される。しかしながらその代わりに、画像処理時間を短縮するため、多数の可視画像と追加の可視画像とのエネルギーをそれぞれ分離された光学経路を通じて伝達してもよい。この伝達は、確かに一方では経費のかかる装置になるものの、他方では既に説明したように迅速な画像処理をもたらす。
【００１１】
特に、フィルムが記憶媒体として使用される。この場合、このフィルムは、色彩画像として記憶されている画像情報を含む。同時にこの記憶媒体は、十分反射的でもよい。その代わりに、この記憶媒体は印刷物でもよい。
【００１２】
最後に、認識した欠陥箇所及び／又は輝度の変動に対する本発明の方法と本発明の装置では、修復方法が当然に実施され得る。これに対しては、特に冒頭で述べた両修復方法が考えられる。
【００１３】
以下に、本発明の詳細及び利点を図面に基づいた実施の形態から説明する。
【００１４】
デジタル画像処理によって欠陥を認識する及び／又は欠陥を修復するための本発明の装置の第１の実施の形態の概略的な構成が示されている。本発明の装置１は、ランプ２、特にハロゲンランプを有する。このランプ２の一部が、反射器３によって包囲されている。この反射器３は、ランプ２から放たれた光を鏡４、特に金属酸化物蒸着ミラーに偏向させる。金属酸化物蒸着ミラー４は、反射器３からきた光とランプ２から直接きた光をフィルターパドル５に向ける。この光は、フィルタパドル５及びそれに面して続く光減衰器６を透過してシャッタ７及びフィルターホイール８に進行する。この場合、フィルターホイール８は、ネガ用とポジ用との双方に対して色フィルタを有する。図２中に示されたように、赤フィルタと緑フィルタと青フィルタ（８１，８２，８３）が、ネガ用に、赤フィルタと緑フィルタと青フィルタ（８５，８６，８７）が、ポジ用に、そして追加フィルタ（８４，８８）が、ネガとポジに対する追加の走査用に設けられている。ポジ用のフィルタを省略すること、及びポジをネガ用に設けられたフィルタ８１〜８４によって同様に走査することが可能である。追加フィルタ（８４，８８）は、示された好ましい波長範囲に対して（例えば、 ５９０〜 ６１０ｎｍ−すなわち黄色の光に対して）透過性である。
【００１５】
フィルターホイールを省略すること、及びＣＣＤアレイ１４の代わりにＴＦＡ（ Ｔｈｉｎ Ｆｉｌｍ ｏｎ ＡＳＩＣ）検出器を使用すること（これに対しては、刊行物Ｓｏｍｍｅｒ， Ｍ．等著“Ｆｉｒｓｔ Ｍｕｌｔｉｓｐｅｃｔｒａｌ Ｄｉｏｄ Ｃｏｌｏｒ Ｉｍａｇｅｒ Ｔｈｒｅｅ Ｃｏｌｏｒ Ｒｅｃｏｇｎｉｔｉｏｎ Ａｎｄ Ｃｏｌｏｒ Ｍｅｍｏｒｙ ｉｎ Ｅａｃｈ Ｐｉｘｅｌ”， ＩＥＥＥ Ｗｏｒｋｓｈｏｐ ｏｎ ＣＣＤｓ ａｎｄ Ａｄｖａｎｃｅｄ Ｉｍａｇｅ Ｓｅｎｓｏｒ， Ｎａｇａｎｏ， Ｊａｐａｎ 参照）も可能である。フィルム・スペクトルが、このＴＦＡによって色密度の最大にも設定され得るし、欠陥信号を検出するために有益に使用されるフィルムの種類に依存した密度の最小にも設定され得る。
【００１６】
ミラーシャフト９が、放射経路にしたがって図１中のフィルーターホイール８に通じている。進行する光が、このミラーシャフト９から処理すべきフィルム１０に向かって進み、このフィルム１０を通過する。フィルム１０を通過した光は、ＮＧガラスの形態の埃・シャッタ／光減衰器１１を透過して、レンズ１３とＣＣＤアレイ１４から構成された結像装置１２内に入射する。
【００１７】
いわゆる予備走査器１５が、フィルム１０と光減衰器１１との間に存在する。この予備走査器１５は、予備走査又は前走査に使用される。予備走査の目的は、被写体を含むフィルム１０の密度（Ｄｉｃｈｔｅ）に関する予備情報を入手することにある。画像が、この被写体に対して入力されなければならない。画像面の最適な照射が、こうして入手した情報に基づいて選出される。さらに、予備走査器１５は、一般に知られているようにフィルム密度データ等を測定するためにも使用され得る。
【００１８】
図３中には、ランプ２から出てＣＣＤアレイ１４内に入射する本発明の装置の第２の実施の形態の光放射経路が概略的に示されている。この場合、ＣＣＤアレイ１４は、後でさらに説明するように４つのＣＣＤチップ１６〜１９から構成される。さらに、発光ダイオードが、従来のランプの代わりに使用される。この場合、例えば図３中には、水平な発光ダイオード配置２ａが、青色と緑色の光を放ち、垂直発光ダイオード配置２ｂが、赤色の光と追加の特に黄色の光を放つ。黄色の光を放つ発光ダイオードの代わりに、第１の実施の形態で黄色のフィルタに関して既に説明したように、 ４８０〜 ３９０ｎｍ， ３９０〜 ４３０ｎｍ又は ７４０〜 ７８０ｎｍの波長範囲の光を放出する発光ダイオードを使用してもよい。
【００１９】
発光ダイオード２ａ，２ｂから出射する光が、光配置２０又は２１を透過し、その一部が二色性のビームスプリッタ２４によって偏向されて、そして集光レンズ２２に向かって進行する。結像レンズを有するレンズ１３に入射する光が、集光レンズによって焦点合わせされる。この場合、光は、レンズ１３に進行する前にフィルム１０を透過する。共通の公知のフィルムステージ２３が、このフィルム１０の上に存在する。光は、レンズ１３を通過し、画像処理に関連するスペクトル色に応じて主に赤色，緑色，青色及び黄色−又は欠陥信号を得るのに適切なその他の色−に分割される。そして、それぞれのスペクトル線成分が、敷設されたそれぞれのＣＣＤチップ１６〜１９に対して偏向される。図３中では、追加の可視画像を生成する黄色の光が、ＣＣＤチップ１６に向かって偏向され、そして赤色の光，緑色の光及び青色の光が、ＣＣＤチップ１７〜１９に向かってこの順序で偏向される。
【００２０】
この場合、敷設されたＣＣＤチップの赤色信号，緑色信号及び青色信号が、全体画像を生成するために演算処理される。フィルム中又は上の欠陥が、埃又は引っかき傷の形態で発生するならば、これらの欠陥は、全体画像の生成時に赤色信号，緑色信号及び青色信号から再び見つかる。これらの欠陥を認識及び／又は修復するため、 ５８０〜 ６３０ｎｍ，特に ５９０〜 ６１０ｎｍの追加の光、又は、上述した別の波長範囲のうちの１つの光が、本発明の装置において本発明にしたがって使用される。この光は、欠陥をマーキングするために使用される。すなわち、欠陥を有するフィルムを透過した後に「欠陥ＣＣＤチップ」上に当たる光が欠陥信号を生成する。この欠陥信号は、フィルム中又はフィルム上のその欠陥の精確な位置を示す。又は、この欠陥信号は、直接的な欠陥の修復のために使用される。すなわち、「欠陥ＣＣＤチップ」上に生成された画像が、別の可視画像と組合わせられる。
【００２１】
欠陥情報は、−光透過性光学機器又は記録媒体のエラーによって引き起こされた−記憶媒体中の欠陥，この記憶媒体上の粒子，場合によっては輝度の減少に関する情報を有する。これらは、簡単のために以下では概念「欠陥」に統一する。何故なら、これらの全ての値が、赤色信号，緑色信号，青色信号中にも含まれていて、これらの信号から除去されなければならないからである。さらに、欠陥信号は、可視領域内で赤外線信号とは対照的に弱い画像信号を有する、すなわち例えば黄色信号では赤色信号と緑色信号を低下させた成分を有し、そしてフィルムマスクによって生じた信号を有する。図４から分かるように、フィルムのスペクトル密度及びマスク密度が、可視スペクトルの範囲内では完全に零に戻らないので、この残留画像信号が、欠陥信号に重畳している。フィルムを最大に露光した場合、（例えば、フィルムタイプＨＤＣ１００ ｐｌｕｓに対しては）図４中に示された青色（□），緑色（○）及び赤色（△）に対する色密度及びマスク密度（−）が、フィルムの現像後に得られる。これらの曲線は、違うフィルムタイプに対しては僅かに異なりうる。
【００２２】
処理した赤色値，緑色値及び青色値を算出するため、−すなわち欠陥を修復するため−赤色密度，緑色密度，青色密度及び欠陥密度（ＤＲ，ＤＧ，ＤＢ，ＤＤ）が、可視領域内の４箇所の記録で得られる。対応するスペクトル領域内のフィルムマスク（ＭＲ，ＭＧ，ＭＢ，ＭＤ）の密度は、フィルムデータから既知であるか又はテーブル内に記憶されている。これらの密度は、これらのテーブルからフィルムタイプの確認後に得られるか、又は露光されなかったフィルムのフレームの位置の記録から得られる。したがって、以下の方程式を補正した赤色値，緑色値及び青色値（Ｒ，Ｇ，Ｂ，Ｄ）に対して立てることができる：
Ｒ＝ＤＲ−ＭＲ−Ｄ
Ｇ＝ＤＧ−ＭＧ−Ｄ
Ｂ＝ＤＢ−ＭＢ−Ｄ
Ｄ＝ＤＤ−ＭＤ−α・Ｒ−β・Ｇ．
α及びβは、フィルムに依存する値である。これらの値は同様にテーブル内に記憶され得る。これらのα及びβは、これらのテーブルからフィルムタイプの確認後に得られる。一次近似では、α及びβを同一とみなしてもよい。その結果、方程式を簡略化することができる。
【００２３】
したがって、色彩値及び欠陥値をこれらの方程式から簡単に算出することができる。これらの色彩値は、欠陥を修復した画像を再生する。欠陥の位置と強さが、この画像から得られる。欠陥の位置と強さに関するデータは、特に信号が非常に酷い欠陥のせいで零に低下しているときに必要になる。この場合、方程式の有効な解が不可能であるので、画像データの補間が必要である。
【００２４】
もう１つの好適な実施の形態では、欠陥信号が、例えば ３９０〜 ４３０ｎｍの範囲内で記録されるときに、より簡単な方程式が得られる。ここでは、欠陥信号に対して：Ｄ＝ＤＤ−ＭＤ−γ・Ｂが成立する。確かにここでは、この欠陥信号は、 ５８０〜 ６３０ｎｍの範囲内の欠陥信号の記録時のような色彩信号とそんなに区別が付かない。そのため、結果を簡単に算出することができるものの、場合によっては不精確である。
【００２５】
フィルム中の又はフィルム上の欠陥の認識に加えて、既存の色、赤，緑及び青の他に例えば黄色を使用することによって、走査時の輝度の変動も、直接補正され得る。例えばＣＣＤチップのダウンエッジ（Ｒａｎｄａｂｆａｌｌ），レンズの不精確さ，フィルタの不精確さ等によるこのような変動は、黄色信号中でも赤色信号，緑色信号及び青色信号中でも見つかり、それに応じて修復時に除去されるので、事前の補正等は必要ない。しかし従来の認識方法では、このような縁部の汚れは、作成すべき補正曲線によって補正される。これらの補正曲線は、引続く補正方法で考慮される。
【００２６】
黄色の光並びに赤色，緑色の光及び青色の光の双方が同じ光学経路を通じて伝えられる図１中に示された放射経路の代わりに、当然に、異なるスペクトル領域を分離された複数の光学経路を通じて伝えてもよい。赤色の光及び／又は緑色の光及び／又は青色の光とそれぞれ組合わせた欠陥のある光を光学経路、すなわち要素１３，２０〜２４を通じて送ることも考えられる。
【００２７】
この実施の形態では、フィルム１０が記憶媒体として使用される。その代わりに、記憶媒体１０は、当然に印刷物でもよい。さらに、フィルムは、色彩画像として記憶された画像情報を含んでもよく、十分反射的でもよい。
【００２８】
上述した実施の形態のさらなる変更と修正が、特許請求の範囲の保護範囲を超えることなしに可能である。
【図面の簡単な説明】
【図１】
本発明の装置の第１の実施の形態の概略図である。
【図２】
第１の実施の形態用の本発明のフィルターホイールの概略図である。
【図３】
本発明の装置の第２の実施の形態の概略図である。
【図４】
異なる光の波長に対するフィルムの相対濃度曲線を示す。
【符号の説明】
１　本発明の装置
２　ランプ
２ａ　発光ダイオード
２ｂ　発光ダイオード
３　反射器
４　金属酸化物蒸着ミラー
５　フィルターパドル
６　光減衰器
７　シャッタ
８　フィルターホイール
９　ミラーシャフト
１０　フィルム
１１　埃・シャッタ／光減衰器
１２　結像装置
１３　レンズ
１４　ＣＣＤアレイ
１５　予備走査器
１６　ＣＣＤチップ
１７　ＣＣＤチップ
１８　ＣＣＤチップ
１９　ＣＣＤチップ
２０　レンズ列
２１　レンズ列
２２　集光レンズ
２３　フィルムステージ
２４　ビームスプリッタ
８１　赤色フィルタ
８２　緑色フィルタ
８３　青色フィルタ
８４　追加フィルタ
８５　赤色フィルタ
８６　緑色フィルタ
８７　青色フィルタ
８８　追加フィルタ
【図４】
2004503789.tif 000003
【国際公開パンフレット】
2004503789.tif 000004
2004503789.tif 000005
2004503789.tif 000006
2004503789.tif 000007
2004503789.tif 000008
2004503789.tif 000009
2004503789.tif 000010
2004503789.tif 000011
2004503789.tif 000012
2004503789.tif 000013
2004503789.tif 000014
2004503789.tif 000015
2004503789.tif 000016
2004503789.tif 000017
2004503789.tif 000018
2004503789.tif 000019
2004503789.tif 000020
2004503789.tif 000021
2004503789.tif 000022
2004503789.tif 000023
【手続補正書】
【提出日】平成14年8月7日(2002.8.7)
【手続補正１】
【補正対象書類名】明細書
【補正対象項目名】特許請求の範囲
【補正方法】変更
【補正の内容】
【特許請求の範囲】
【請求項０１】
以下のステップによるデジタル画像処理で欠陥を認識する方法：
−　光源（２）の電磁エネルギーを画像情報を含んでいる記憶媒体（１０）に伝達し、この場合、電磁スペクトルの可視領域内のエネルギーが使用され、
−　記憶媒体（１０）から放出されたエネルギーが、記録媒体（１４，１７，１８，１９）によって多数のスペクトル領域内で記録されることによって、多数の可視画像を生成する方法において、追加の可視画像が、記憶媒体（１０）の少なくとも僅かな密度の１つのスペクトル領域内で生成され、この場合、画像記録時の欠陥及び／又は輝度の変動が、この追加の画像中で認識できることを特徴とする方法。
【請求項０２】
記憶媒体（１０）中の欠陥箇所及び／又は記憶媒体（１０）上の粒子に相当する記録された画像中の欠陥箇所がマーキングされることを特徴とする請求項１に記載の方法。
【請求項０３】
修復方法が、マーキングした欠陥箇所で実施されることを特徴とする請求項１又は２に記載の方法。
【請求項０４】
以下のステップによるデジタル画像処理で欠陥を認識する方法：
−　光源（２）の電磁エネルギーを画像情報を含んでいる記憶媒体（１０）に伝達し、この場合、電磁スペクトルの可視領域内のエネルギーが使用され、
−　記憶媒体（１０）から放出されたエネルギーが、記録媒体（１４，１７，１８，１９）によって多数のスペクトル領域内で記録されることによって、多数の可視画像を生成する方法において、追加の可視画像が、記憶媒体（１０）の少なくとも僅かな密度の１つのスペクトル領域内で生成され、この場合、画像記録時の欠陥及び／又は輝度の変動が、この追加の画像中で認識でき、
−　これらの画像を追加の可視画像と組合わせることによって、多数の可視画像中の欠陥及び／又は輝度の変動を修復することを特徴とする方法。
【請求項０５】
記憶媒体（１０）中の欠陥又は記憶媒体（１０）上の粒子による輝度の変動が補正されることを特徴とする請求項４に記載の方法。
【請求項０６】
修復方法は、補間を含むことを特徴とする請求項５に記載の方法。
【請求項０７】
光源（２）のエネルギーを伝達するために使用される装置（４〜９，１１，１３）及び／又は画像生成装置（１２）の輝度の変動が補正されることを特徴とする請求項４に記載の方法。
【請求項０８】
追加の可視画像は、 ５８０〜 ６３０ｎｍ、特に ５９０〜 ６１０ｎｍの波長範囲内で生成されることを特徴とする請求項１〜７のいずれか１項に記載の方法。
【請求項０９】
追加の可視画像は、 ４８０〜 ５３０ｎｍの波長範囲内で生成されることを特徴とする請求項１〜７のいずれか１項に記載の方法。
【請求項１０】
追加の可視画像は、 ３９０〜 ４３０ｎｍ又は ７４０〜 ７８０ｎｍの波長範囲内で生成されることを特徴とする請求項１〜７のいずれか１項に記載の方法。
【請求項１１】
多数の可視画像と追加の可視画像との電磁エネルギーは、同一の光学経路を通じて伝達されることを特徴とする請求項１〜１０のいずれか１項に記載の方法。
【請求項１２】
多数の可視画像と追加の可視画像との電磁エネルギーは、それぞれ分離された複数の光学経路を通じて伝達されることを特徴とする請求項１〜１０のいずれか１項に記載の方法。
【請求項１３】
特にフィルムが、記憶媒体（１０）として使用されることを特徴とする請求項１〜１２のいずれか１項に記載の方法。
【請求項１４】
画像情報を含んでいる記憶媒体（１０）に光源（２）の電磁エネルギーを伝達する装置（４〜９）を有し、この場合、電磁スペクトルの可視領域内のエネルギーが伝達され、多数の可視画像を生成する装置（１２）を有し、この装置（１２）は、記憶媒体（１０）から放出されたエネルギーを記録する記録装置（１４，１７，１８，１９）を有する、デジタル画像処理で欠陥を認識する装置において、１つの追加の可視画像を生成する装置（１６，８４，８８）が、記憶媒体（１０）の少なくとも非常に狭い色彩感知範囲内に設定されていて、この場合、この追加の可視画像は、画像記録時の欠陥及び／又は輝度の変動を含むことを特徴とする装置。
【請求項１５】
色彩フィルタ（８４及び／又は８８）が、追加の可視画像を生成する装置として設けられていることを特徴とする請求項１４に記載の装置。
【請求項１６】
色彩フィルタは、黄色フィルタであることを特徴とする請求項１５に記載の装置。
【請求項１７】
色彩フィルタは、 ５８０〜 ６３０ｎｍ、特に ５９０〜 ６１０ｎｍの範囲内で透過性であることを特徴とする請求項１５に記載の装置。
【請求項１８】
色彩フィルタは、 ４８０〜 ５３０ｎｍの範囲内で透過性であることを特徴とする請求項１５に記載の装置。
【請求項１９】
色彩フィルタは、３９０ 〜 ４３０ｎｍ又は ７４０〜 ７８０ｎｍの範囲内で透過性であることを特徴とする請求項１５に記載の装置。
【請求項２０】
装置（４〜９）は、多数の可視画像と追加の可視画像とのエネルギーを同一の光学経路を通じて伝達することを特徴とする請求項１４〜１９のいずれか１項に記載の装置。
【請求項２１】
追加の可視画像を生成する装置は、ビームスプリッタを有することを特徴とする請求項１４に記載の装置。
【請求項２２】
光源（２）は、発光ダイオードであることを特徴とする請求項１４に記載の装置。
【請求項２３】
光源（２）は、発光ダイオードを有し、これらの発光ダイオードは、 ５８０〜 ６３０ｎｍ、特に ５９０〜 ６１０ｎｍの範囲内で放射することを特徴とする請求項２２に記載の装置。
【請求項２４】
記憶媒体（１０）は、フィルムであることを特徴とする請求項１４〜２３のいずれか１項に記載の装置。
【国際調査報告】
2004503789.tif 000024
2004503789.tif 000025
2004503789.tif 000026
2004503789.tif 000027